(57)【要約】【課題】簡易な構造でありながら、荷台ボード下面側からの水分の侵入を効果的に阻止することが可能な、トラックにおける荷台ボードの支持構造を提供すること。【解決手段】  トラックにおける荷台ボードの支持構造において、１）荷台ボードを、平面矩形状を呈する合成樹脂製の板状部材の複数を車両前後方向及び車幅方向に組み合わせて、構成し、２）荷台ボードにおける車両前後方向に隣接する二つの板状部材間の組合せ部を、横根太上に配置することによって、それら二つの板状部材を横根太によって支持し、３）荷台ボードにおける車幅方向に隣接する二つの板状部材は、それら二つの板状部材のうちの一の板状部材の端面に設けられた凹溝部に、他の一の板状部材の端面に設けられた凸条部を嵌合せしめ、組み合わせるようにして、構成した。【選択図】図１
2018024390.tif 000002
【特許請求の範囲】
【請求項１】
少なくとも、一対のサイドフレームと、かかる一対のサイドフレーム間に介在せしめられている一以上の横根太とによって、荷台ボードが支持されてなるトラックにおける荷台ボードの支持構造にして、
前記荷台ボードは、平面矩形状を呈する合成樹脂製の板状部材の複数が、車両前後方向及び車幅方向に組み合わされて、構成されており、
前記荷台ボードにおける車両前後方向に隣接する二つの板状部材間の組合せ部が、前記横根太上に配置されていることによって、該二つの板状部材が該横根太によって支持されており、
前記荷台ボードにおける車幅方向に隣接する二つの板状部材は、それら二つの板状部材のうちの一の板状部材の端面に設けられた凹溝部に、他の一の板状部材の端面に設けられた凸条部が嵌合せしめられて、組み合わされている、
ことを特徴とするトラックにおける荷台ボードの支持構造。
【請求項２】
前記凹溝部の侵入深さが、前記凸条部の突出高さより大きい請求項１に記載のトラックにおける荷台ボードの支持構造。
【請求項３】
前記板状部材における少なくとも前記横根太によって支持される部位が、非発泡の合成樹脂にて構成されている一方、その他の部位が発泡した合成樹脂にて構成されている請求項１又は請求項２に記載のトラックにおける荷台ボードの支持構造。
【請求項４】
前記板状部材における前記横根太には接しない側の面の周縁に、アプローチＲ部が形成されている請求項１乃至請求項３の何れか１項に記載のトラックにおける荷台ボードの支持構造。
【発明の詳細な説明】
【技術分野】
【０００１】
本発明は、トラックにおける荷台ボードの支持構造に係り、特に、小型トラックに有利に採用される荷台ボードの支持構造に関するものである。
【背景技術】
【０００２】
従来より、トラックの荷台を構成する荷台ボード（床板）としては、例えばアピトン材等の天然木質系板材が広く用いられている。しかしながら、天然木質系板材は、吸水性を有するが故に水に弱く、また、耐候性が乏しいために、使用期間が長くなるにつれてソリや変形等が生じ易いという問題を、内在している。更には、近年、資源の枯渇防止や地球環境の保全を図る観点より、アピトン材等の南洋材については、その伐採規制が強化されつつあり、入手することが困難になってきている状況である。
【０００３】
かかる状況の下、特許文献１（特開２０１４−１５１３５号公報）においては、トラック等の運搬用車両の荷台に用いるデッキ構造として、合成樹脂で形成されると共に幅方向に並べて配置される複数の板材と、それら板材の長手方向に沿って延設されると共に隣接配置される板材同士を接続する接続部材とを備えるものが、提案されている。同特許文献においては、そこに開示のデッキ構造は、板材が合成樹脂で形成されているところから、水、薬液、オイルなどの液体が板材に染み込むことが無く、また、天然木質系板材を用いた場合と比較して、デッキ構造の軽量化を図ることが可能であり、更には、隣接する板材同士を接続部材にて接続していることから、水等の液体が板材に染み込むことを抑制しつつ、大きな外力を受けても破損しにくいものである、と記載されている。
【０００４】
しかしながら、特許文献１に開示の如き、複数の板材を用いてデッキ（荷台ボード）をを構成し、隣接する板材同士を所定の接続部材にて接続してなるデッキ構造にあっては、接続部材の使用による重量の増加を避けることはできない。車両重量の増加は燃費の悪化に直結するものであり、特に、標準積載量が４ｔ未満である（分類によっては、最大積載量が３ｔ以下である）小型トラックにおいては、燃費向上の観点より、車両重量の軽量化が強く求められているのである。
【先行技術文献】
【特許文献】
【０００５】
【特許文献１】特開２０１４−１５１３５号公報
【発明の概要】
【発明が解決しようとする課題】
【０００６】
また、特に小型トラックにおいては、大型トラックや中型トラックと比較して、荷台ボードの直下に配置される車両構成部品の部品点数が少なく、また、その大きさも比較的小さいものであるところから、例えば走行中にタイヤによって跳ね上がる泥水等の水分が荷台ボードの下面（荷物等が積載される側の面とは反対側の面）に付着することへの対応策を講じることが、要求される。かかる付着した水分は、荷台ボードが複数の板状部材にて構成されている場合、それら板状部材間の組合わせ部（接合部）を通じて荷台ボードの上面にまで達し、その結果、積載している荷物等を濡らしてしまう恐れがあるのである。
【０００７】
ここにおいて、本発明は、かかる事情を背景にして為されたものであって、その解決すべき課題とするところは、簡易な構造でありながら、荷台ボード下面側からの水分の侵入を効果的に阻止することが可能なトラックにおける荷台ボードの支持構造を提供することにある。
【０００８】
そして、本発明は、かかる課題を解決すべく、少なくとも、一対のサイドフレームと、かかる一対のサイドフレーム間に介在せしめられている一以上の横根太とによって、荷台ボードが支持されてなるトラックにおける荷台ボードの支持構造にして、１）前記荷台ボードは、平面矩形状を呈する合成樹脂製の板状部材の複数が、車両前後方向及び車幅方向に組み合わされて、構成されており、２）前記荷台ボードにおける車両前後方向に隣接する二つの板状部材間の組合せ部が、前記横根太上に配置されていることによって、該二つの板状部材が該横根太によって支持されており、３）前記荷台ボードにおける車幅方向に隣接する二つの板状部材は、それら二つの板状部材のうちの一の板状部材の端面に設けられた凹溝部に、他の一の板状部材の端面に設けられた凸条部が嵌合せしめられて、組み合わされている、ことを特徴とするトラックにおける荷台ボードの支持構造を、その要旨とするものである。
【０００９】
なお、本発明に従う支持構造の好ましい第一の態様においては、前記凹溝部の侵入深さが、前記凸条部の突出高さより大きくされている。
【００１０】
また、本発明の支持構造における好ましい第二の態様においては、前記板状部材における少なくとも前記横根太によって支持される部位が、非発泡の合成樹脂にて構成されている一方、その他の部位が発泡した合成樹脂にて構成されている。
【００１１】
さらに、本発明に係る支持構造の好ましい第三の態様においては、前記板状部材における前記横根太には接しない側の面の周縁に、アプローチＲ部が形成されている。
【発明の効果】
【００１２】
このように、本発明に従うトラックにおける荷台ボードの支持構造においては、荷台ボードが、平面矩形状を呈する板状部材の複数にて構成されていると共に、車両前後方向に隣接する二つの板状部材間に形成される組合せ部が横根太上に配置されている一方で、車幅方向に隣接する二つの板状部材は、所定の嵌合構造により組み合わされて、構成されるものである。このような構成を採用したことにより、本発明の支持構造においては、従来より簡易な構造でありながら、荷台ボード下面側からの水分の侵入を効果的に阻止することが可能ならしめられているのである。
【００１３】
また、本発明の支持構造においては、合成樹脂製の板状部材同士を、接続部材等の他の部材を使用することなく組み合わせた荷台ボードを採用しているところから、荷台ボードの重量増加が効果的に抑制されており、合成樹脂製の板状部材の複数からなる荷台ボードを採用したことによる軽量化の恩恵を、何等、損なうことなく、有利に享受することが可能である。更に、天然木質系板材に代えて合成樹脂製の板状部材を用いたことによる各種の効果、具体的には、天然木質系板材では必要とされていた表面の塗装が不要であること、低吸水性であること、耐候性に優れており長期間の使用が可能であること、素材である合成樹脂の入手の容易性等をも、有利に享受することができる。加えて、本発明における荷台ボードは、複数の板状部材から構成されているところ、仮に、部分的な破損等が生じた場合にも、その破損部分に係る板状部材のみを交換すれば足りるのであり、従来の、天然木質系板材の一枚板にて構成される荷台ボードと比較して、利便性に優れ、使用コスト（ランニングコスト）を低く抑えることができるという恩恵をも、享受することができるのである。
【図面の簡単な説明】
【００１４】
【図１】本発明の支持構造に従い、荷台ボードが支持されている状態を示す斜視説明図である。
【図２】図１に示される荷台ボードを構成する板状部材の平面図である。
【図３】図１に示される荷台ボードを構成する板状部材の底面図である。
【図４】図１に示される荷台ボードを構成する板状部材の正面図である。
【図５】図１に示される荷台ボードを構成する板状部材の背面図である。
【図６】図１に示される荷台ボードを構成する板状部材の左側面図である。
【図７】図１に示される荷台ボードを構成する板状部材の右側面図である。
【図８】図１に示される荷台ボードの支持状態についての平面図である。
【図９】図１に示される荷台ボードの支持状態についての底面図である。
【図１０】図８におけるＡ−Ａ断面を部分的に拡大した説明図である。
【図１１】図８におけるＢ−Ｂ断面を部分的に拡大した説明図である。
【図１２】本発明において有利に用いられる板状部材の部分拡大断面図である。
【図１３】本発明において有利に用いられる板状部材の部分拡大断面図である。
【発明を実施するための形態】
【００１５】
以下、図面を適宜に用いて、本発明を詳細に説明する。なお、以下の説明において使用する図面は、何れも、本発明の理解を容易にするためのものであって、本発明に必須の乃至は関連する構成要素（部材）のみを描いた図や、本発明の技術的特徴部分のみを抽出した図であること、若しくは、本発明の技術的特徴部分を意図的に拡大して表現した図であることが、何れも理解されるべきである。
【００１６】
図１は、本発明に係る支持構造に従い、小型トラックにおいて荷台ボードが支持されている状態を示す斜視説明図である。かかる図１に示されているように、荷台ボード１０は、１２枚の板状部材１２から構成されているのであり、より具体的には、車両前後方向には４枚の板状部材１２が、また車幅方向には３枚の板状部材１２が、各々、隣接する板状部材と組み合わされることによって、構成されているのである。
【００１７】
また、そのような荷台ボード１０は、一対のサイドフレーム１４ａ、１４ｂと、リアフレーム１６と、図に現れない７本の横根太とによって、支持されている（図９を参照）。図１中、１７は、荷台ボード１０の車両前方側の端部を覆うカバー部材である。なお、サイドフレーム１４ａが、その一部に切り欠き部を有するのは、タイヤとの干渉を防止するためである。また、サイドフレーム１４ａ、１４ｂ及びリアフレーム１６における荷台ボード１０の支持は、従来より公知の手法や部材等を用いて実施されているところから、詳細な説明については省略する。
【００１８】
以下において、先ず、荷台ボード１０を構成する板状部材１２について、詳述する。板状部材１２については、図２に平面図が、図３に底面図が、図４に正面図が、図５に背面図が、図６に左側面図が、更には図７に右側面図が、各々、示されている。それら図２乃至図７より明らかなように、板状部材１２は、平面視において、全体として略矩形状を呈している。尚、以下の説明において、板状部材１２の長手方向とは図２乃至図５における左右方向を、また、板状部材１２の短手方向とは図２、図３、図６及び図７における上下方向を、更に板状部材１２の上下方向とは図４及び図５における上下方向（図６及び図７における左右方向）を、各々、示すものである。
【００１９】
板状部材１２の長手方向における一方の端部（図２において左側端部）には、かかる端部の下方に、板状部材１２の下面からの高さが板状部材１２の厚さ（図４に示されるｈであって、後述する肉厚部リブを含まない高さ。以下、同じ。）の半分とされた、外方に突出する係合部１８が、設けられている。また、係合部１８には、これより更に外方に（図２において左側に）突出する二つの係合凸部２０、２０が形成されている（以上、特に図２、図４乃至図６を参照）。これら二つの係合凸部２０、２０は、他の板状部材１２と組み合わせた際に、後述する係合凹部２４、２４と係合せしめることにより、隣接する板状部材間の位置ずれの発生を有利に防止するためのものである。
【００２０】
また、板状部材１２の長手方向における他方の端部（図２において右側端部）には、かかる端部の上方に、板状部材１２の上面からの高さが板状部材１２の厚さの半分とされた、外方に突出する係合部２２が、設けられている。更に、かかる他方の端部における係合部２２が設けられていない部位には、二つの係合凹部２４、２４が形成されている（以上、特に図３及び図７を参照）。これら二つの係合凹部２４、２４は、前述した係合部１８における二つの係合凸部２０、２０に対応する大きさ及び形状において、形成されている。
【００２１】
一方、板状部材１２の短手方向における一方の端部（図２において上側端部）においては、かかる端部における板状部材１２の厚さ方向の中央部に、外方に突出する凸条部２６が設けられている。この凸条部２６にも、これより更に外方に突出する二つの係合凸部２８、２８が設けられている（以上、特に図２、図３及び図５を参照）。これら二つの係合凸部２８、２８にあっても、他の板状部材１２と組み合わせた際に、後述する係合凹部３２、３２と係合せしめることにより、隣接する板状部材間の位置ずれの発生を有利に防止するためのものである。
【００２２】
また、板状部材１２の短手方向における他方の端部（図２において下側端部）には、かかる端部における板状部材１２の厚さ方向の中央部に、凹溝部３０が設けられている（図４を参照）。更に、この凹溝部３０内には、二つの係合凹部３２、３２が、他の板状部材１２と組合わせた際に、上述した凸条部２６における二つの係合凸部２８と係合可能な大きさ及び形状において、形成されている。
【００２３】
ここで、本実施形態に係る板状部材１２においては、凹溝部３０の侵入深さは、凸条部２６の突出高さより大きく設定されている。このような構成に係る板状部材１２同士を短手方向において組合わせると、図１１に示されるように、凹溝部３０内に空所３６が生ずることとなる。このような空所が存在していることにより、仮に、荷台ボード１０の下面（図１１の下面）側より、隣接する板状部材１２間の接触面を通じて毛細管現象により水分が侵入してきても、侵入してきた水分は空所３６内に効果的に止められることとなるのであって、荷台ボード下面側からの水分の侵入をより効果的に阻止することが可能となっているのである。
【００２４】
上述の如き構成に加えて、板状部材１２には、図３乃至図７より明らかなように、八つのリブ３４が、板状部材１２を補強するため（板状部材１２の力学的強度を向上させるため）に、板状部材１２の下面に突出する肉厚部３５上に立設せしめられている。
【００２５】
さらにまた、図２乃至図７に示される板状部材１２にあっては、肉厚部３５が、かかる肉厚部３５の下面に設けられた八つのリブ３４をも含めて、発泡した合成樹脂にて形成されている一方、かかる部位を除いたその他の部位は、非発泡の合成樹脂にて形成されているのである。図２において、一点鎖線で囲まれた部位が、肉厚部３５である。後の説明において使用する図９からも明らかなように、板状部材１２における肉厚部３５は、少なくとも、横根太によって支持されることはない部位である。小型トラックの荷台を構成する荷台ボードに対しては、大型トラックや中型トラック以上に軽量化が求められているところ、肉厚部３５を発泡した合成樹脂にて構成することにより、板状部材１２の強度を維持しつつ、板状部材１２、ひいては荷台ボード１０の更なる軽量化が、有利に図られているのである。
【００２６】
なお、板状部材１２を構成する合成樹脂としては、上記の如き構成を有する板状部材１２を、従来より公知の各種成形法に従って成形することが可能なものであれば、如何なるものであっても使用することができる。例えば、コアバック射出発泡成形法に従い、上述した板状部材１２の形状を与える金型であって、図２における点線で囲まれた部位に対応する部分のキャビティ容積を変化させることが可能なものを準備し、そのような金型内に、ガラス繊維強化ポリプロピレンに発泡剤を配合してなるものを充填し、充填後、図２における点線で囲まれた部位に対応する部分のキャビティ容積を変化させる（金型を引いて、キャビティ容積を増やす）ことにより、上述してきた板状部材１２を有利に製造することができる。
【００２７】
上述した構成を備える板状部材１２を、図１及び図８に示されるように、長手方向において隣接する二つの板状部材１２間において、一の板状部材１２における係合部１８と他の一の板状部材１２における係合部２２とを重ね合わせ（図１０を参照）、且つ、短手方向において隣接する二つの板状部材間において、一の板状部材１２における凸条部２６を、他の一の板状部材１２における凹溝部３０に嵌合し、組合わせる（図１１）ことによって、荷台ボード１０は構成されているのである。
【００２８】
本実施形態に係る、横根太による荷台ボード１０の支持状態は、図９より詳細に把握されるところである。かかる図９より明らかなように、そこに開示の支持構造においては、サイドフレーム１４ａ、１４ｂ並びにリアフレーム１６と共に、サイドフレーム１４ａ、１４ｂの各々に組み付けられて固定配置されている六本の横根太３８ａと、一本の横根太３８ｂとによって、荷台ボード１０が支持されている。なお、六本の横根太３８ａ及び一本の横根太３８ｂは、何れも、図示しないシャシフレームに公知の手法に従って組み付けられている。また、横根太３８ｂが、何れのサイドフレームにも組み付けられていないのは、タイヤとの干渉を避けるためである。
【００２９】
そして、図１、図８並びに図９に示される荷台ボード１０にあっては、車両前後方向（板状部材１２の長手方向）に隣接する二つの板状部材間の組合せ部が、横根太上に配置されているのであり、これにより、かかる二つの板状部材は横根太によって支持されているのである。より詳細には、図８におけるＡ−Ａ断面の部分拡大説明図たる図１０からも明らかなように、隣接する二つの板状部材間において、一の板状部材１２の係合部１８と他の一の板状部材１２の係合部２２との重ね合わせによって形成される組合せ部が、横根太３８ａ上に配置され、かかる横根太３８ａによってそれら二つの板状部材１２が支持されていることによって、荷台ボード１０の下面（図１０下面）側からの水分の侵入が、横根太３８ａによって効果的に阻止されることとなるのである。
【００３０】
また、車幅方向（板状部材１２の短手方向）に隣接する二つの板状部材間の組合せ部にあっても、先に図１１を提示して説明したように、特徴的な構造とされているところから、荷台ボード下面側からの水分の侵入は効果的に阻止されるのである。
【００３１】
以上、詳述したように、本発明に従うトラックにおける荷台ボードの支持構造においては、簡易な構造でありながらも、荷台ボード下面側からの水分の侵入は効果的に阻止されることとなるのである。
【００３２】
さらにまた、上述した実施形態における、荷台ボード１０を構成する板状部材１２にあっては、コアバック射出発泡成形法等の射出成形法に従って有利に製造され得るものである。板状部材１２を射出成形法に従って製造する際には、凹溝部３０及び係合凹部３２に対応する金型のみをスライド構造とすれば良く、金型に要するコストを低く抑えることが可能である。
【００３３】
以上、本発明の代表的な実施形態について、詳細に説明してきたが、本発明が、上記した実施形態に限定されるものでないことは、言うまでもないところである。
【００３４】
例えば、上記した実施形態においては、車両前後方向に隣接する二つの板状部材は、それら二つのうちの一の板状部材に設けられた係合部（１８）と、他の一の板状部材に設けられた係合部（２２）とを重ね合わせることにより、組み合わされている。しかしながら、本発明に従う支持構造においては、車両前後方向に隣接する二つの板状部材を、車幅方向に隣接する二つの板状部材と同様に、一の板状部材の端面に設けられた凹溝部に、他の一の板状部材の端面に設けられた凸条部を嵌合せしめることによって、組合わせることも可能である
【００３５】
また、本発明においては、板状部材における横根太には接しない側の面の周縁に、アプローチＲ部を形成することも可能である。ここで、アプローチＲとは、直線と円弧との間に採用される、曲率半径が比較的に大きな円弧を意味するものである。
【００３６】
アプローチＲ部を有する板状部材について、図１２及び図１３を用いて説明するに、それらの図に示されている板状部材１２’は、アプローチＲ部４０を有する以外は先述した実施形態における板状部材１２と同様の構造を有するものである。そのような板状部材１２’を用いて荷台ボード１０’を構成し、この荷台ボード１０’を、図８に示されるように一対のサイドフレーム、リアフレーム及び横根太によって支持してなる支持構造において、図８におけるＡ−Ａ面に相当する面にて切断した部分拡大断面説明図が図１２であり、図１３は、図８におけるＢ−Ｂ面に相当する面にて切断した部分拡大断面説明図である。上述したアプローチＲを有するアプローチＲ部４０が、横根太には接しない側の面の周縁に設けられた板状部材１２’にあっては、荷台ボード１０’の表面の印象を、なだらかなものとすることが可能である。また、仮に、荷台ボード１０’が、隣接する板状部材１２’間に僅かな段差を有するものであっても、板状部材１２’が、上述の如きアプローチＲ部４０を有しているところから、荷台ボード１０’上の荷物を、隣接する板状部材１２’間に存在する段差に拘わらず、なめらかに滑らせることによって移動させることが可能である。
【００３７】
さらに、本発明において採用される荷台ボードは、上述した実施形態に係る荷台ボード１０のように、車両前後方向に４枚の板状部材が組み付けられ、また車幅方向に３枚の板状部材が組み付けられて構成されるものに限定されるものでないことは、言うまでもないところである。例えば、車両前後方向に６枚の板状部材が組み付けられ、また車幅方向に３枚の板状部材が組み付けられてなる、車両前後方向に長い荷台ボードにあっても、本発明において採用することが可能である。要するに、車両前後方向に隣接する二つの板状部材の組合せ部が、サイドフレーム間に介在する横根太上に配置されるように構成する限りにおいて、荷台ボードを構成する板状部材の車両前後方向及び車幅方向における各組付け数は、適宜に設定することが可能である。
【００３８】
その他、一々は列挙しないが、本発明には、上記した具体的記述以外にも、本発明の趣旨を逸脱しない限りにおいて、当業者の知識に基づいて種々なる変更、修正、改良等を加え得るものであることが、理解されるべきである。
【００３９】
上述したように、本発明に従うトラックにおける荷台ボードの支持構造にあっては、簡易な構造でありながら、荷台ボード下面側からの水分の侵入を効果的に阻止することが可能であり、また、合成樹脂製の板状部材を採用したことによる軽量化の恩恵も、損なうことなく享受することができる。以上より、本発明の支持構造は、特に小型トラックにおいて好適に採用され得るものと、なっているのである。
【符号の説明】
【００４０】
１０    荷台ボード
１２    板状部材
１４ａ、ｂ    サイドフレーム
１６    リアフレーム
１８    係合部
２２    係合部
２６    凸条部
３０    凹溝部
３４    リブ
３５    肉厚部
【図１】
2018024390.tif 000003
【図２】
2018024390.tif 000004
【図３】
2018024390.tif 000005
【図４】
2018024390.tif 000006
【図５】
2018024390.tif 000007
【図６】
2018024390.tif 000008
【図７】
2018024390.tif 000009
【図８】
2018024390.tif 000010
【図９】
2018024390.tif 000011
【図１０】
2018024390.tif 000012
【図１１】
2018024390.tif 000013
【図１２】
2018024390.tif 000014
【図１３】
2018024390.tif 000015